(57)【要約】      （修正有）【課題】見易い或いは操作し易い最適の傾きにパネルをロックすることができ、しかも、傾き変更操作を容易に行うことができるロック機能付きチルトヒンジを提供する。【解決手段】ＯＡ機器の本体１に取り付けられるヒンジ用固定ブラケット３と、パネル２に取り付けられるヒンジ用可動ブラケット４と、ヒンジ用固定ブラケットとヒンジ用可動ブラケットの間で所定の摩擦トルクで軸支するチルトヒンジ５と、ヒンジ用固定ブラケットとヒンジ用可動ブラケットを軸支するヒンジシャフト６と、ヒンジ用固定ブラケットの他側の側板に一体的に取り付けられるラチェット歯７と、ラチェット歯に選択的に係合すると共にヒンジ用可動ブラケットの他側の側板に固定される軸を中心にラチェット歯に沿って回動するラチェット爪８と、ラチェット爪を回動操作するように伝達機構を介して連接されると共にパネルに設けられる操作板１０と、から構成される。【選択図】図２
2010174963.tif 000002
【特許請求の範囲】
【請求項１】
ＯＡ機器の本体に取り付けられるヒンジ用固定ブラケットと、パネルに取り付けられるヒンジ用可動ブラケットと、該ヒンジ用固定ブラケットの一側の側板と該ヒンジ用可動ブラケットの一側の側板を相互に重ね合わせて所定の摩擦トルクで軸支するチルトヒンジと、上記ヒンジ用固定ブラケットの他側の側板と上記ヒンジ用可動ブラケットの他側の側板を相互に重ね合わせて軸支するヒンジシャフトと、上記ヒンジ用固定ブラケットの他側の側板に一体的に取り付けられるラチェット歯と、該ラチェット歯に選択的に係合すると共に上記ヒンジ用可動ブラケットの他側の側板に固定される軸を中心に前記ラチェット歯に沿って回動するラチェット爪と、該ラチェット爪を回動操作するように伝達機構を介して連接されると共に上記パネルに設けられる操作板と、から構成されることを特徴とするロック機能付きチルトヒンジ。
【請求項２】
上記伝達機構が、受動部材と、伝動杆と、作動部材と、連接杆と、から構成されることを特徴とする請求項１に記載のロック機能付きチルトヒンジ。
【請求項３】
ＯＡ機器の本体に取り付けられるヒンジ用固定ブラケットと、パネルに取り付けられるヒンジ用可動ブラケットと、該ヒンジ用固定ブラケットの一側の側板と該ヒンジ用可動ブラケットの一側の側板を相互に重ね合わせて所定の摩擦トルクで軸支するチルトヒンジと、上記ヒンジ用固定ブラケットの他側の側板と上記ヒンジ用可動ブラケットの他側の側板を相互に重ね合わせて軸支するヒンジシャフトと、該ヒンジシャフトに嵌合固定される内輪を有するローラークラッチと、該ローラークラッチの外輪を回動操作するように伝達機構を介して連接されると共に上記パネルに設けられる操作板と、から構成されることを特徴とするロック機能付きチルトヒンジ。
【請求項４】
上記ローラークラッチが、ワンウエイクラッチ又はツーウエイクラッチであることを特徴とする請求項３に記載のロック機能付きチルトヒンジ。
【発明の詳細な説明】
【技術分野】
【０００１】
本発明は、複写機、プリンターなどのＯＡ機器や、冷蔵庫や洗濯機などの家電製品に設けられるモニターパネルや操作パネルなどのパネルの傾きを制御するロック機能付きチルトヒンジに関する。
【背景技術】
【０００２】
一般に、上記パネルは、見易い傾きや操作し易い傾きに調整する必要がある。このパネルの傾きを任意に調整できるようにチルトヒンジが採用されているＯＡ機器等が少なくない。
【０００３】
上記チルトヒンジは、その摩擦トルクによりパネルの傾きを維持するようになっており、パネルの大きさや重さ、或いは取付位置に応じて、安定した傾きが維持されるように、最適のトルクを発揮し得るヒンジが選択される。
【０００４】
しかしながら、傾きの安定性を重視すると高摩擦トルクのチルトヒンジとなって、この傾きを変えようとする場合、抵抗が大きくて傾き変更操作が困難になる。一方、傾き変更操作の容易性を重視すると、低摩擦トルクのチルトヒンジとなって、パネルの傾きが不安定となり、特に、操作パネルのようにタッチするパネルでは、タッチする毎に傾きが変わってしまう等の問題点があった。
【発明の概要】
【発明が解決しようとする課題】
【０００５】
本発明は、見易い或いは操作し易い最適の傾きにパネルをロックすることができ、しかも、傾き変更操作を容易に行うことができるロック機能付きチルトヒンジを提供することを課題とする。
【課題を解決するための手段】
【０００６】
本発明のロック機能付きチルトヒンジは、ＯＡ機器の本体に取り付けられるヒンジ用固定ブラケットと、パネルに取り付けられるヒンジ用可動ブラケットと、該ヒンジ用固定ブラケットの一側の側板と該ヒンジ用可動ブラケットの一側の側板を相互に重ね合わせて所定の摩擦トルクで軸支するチルトヒンジと、上記ヒンジ用固定ブラケットの他側の側板と上記ヒンジ用可動ブラケットの他側の側板を相互に重ね合わせて軸支するヒンジシャフトと、上記ヒンジ用固定ブラケットの他側の側板に一体的に取り付けられるラチェット歯と、該ラチェット歯に選択的に係合すると共に上記ヒンジ用可動ブラケットの他側の側板に固定される軸を中心に前記ラチェット歯に沿って回動するラチェット爪と、該ラチェット爪を回動操作するように伝達機構を介して連接されると共に上記パネルに設けられる操作板と、から構成されることを特徴とする。
【０００７】
また、本発明のロック機能付きチルトヒンジは、ＯＡ機器の本体に取り付けられるヒンジ用固定ブラケットと、パネルに取り付けられるヒンジ用可動ブラケットと、該ヒンジ用固定ブラケットの一側の側板と該ヒンジ用可動ブラケットの一側の側板を相互に重ね合わせて所定の摩擦トルクで軸支するチルトヒンジと、上記ヒンジ用固定ブラケットの他側の側板と上記ヒンジ用可動ブラケットの他側の側板を相互に重ね合わせて軸支するヒンジシャフトと、該ヒンジシャフトに嵌合固定される内輪を有するローラークラッチと、該ローラークラッチの外輪を回動操作するように伝達機構を介して連接されると共に上記パネルに設けられる操作板と、から構成されることを特徴とする。
【発明の効果】
【０００８】
本発明のロック機能付きチルトヒンジは、見易い或いは操作し易い最適の傾きにパネルをロックすることができ、しかも、傾き変更操作を容易に行うことができる。また、無段階のロック操作を行うこともできる。
【図面の簡単な説明】
【０００９】
【図１】ＯＡ機器に設けたパネルを示す斜視図である。
【図２】本発明のロック機能付きチルトヒンジの一実施例を示す斜視図である。
【図２Ａ】図２の作動杆と受動部材の関係を示す説明図である。
【図３】図２の実施例のロック状態の説明斜視図である。
【図４】図２の実施例のロック解除状態の説明斜視図である。
【図５】本発明のロック機能付きチルトヒンジの別の実施例を示す斜視図である。
【図６Ａ】図５の実施例の
【図６Ｂ】図５の実施例の
【発明を実施するための形態】
【００１０】
以下、本発明のロック機能付きチルトヒンジの実施例について、図面を参照しながら説明する。
【実施例１】
【００１１】
図１および図２において、１は複写機などのＯＡ機器の本体、２はパネル、３はＯＡ機器の本体１に取り付けられるヒンジ用固定ブラケット、４は上記パネル２に取り付けられるヒンジ用可動ブラケット、５はチルトヒンジ、６はヒンジシャフト、７はラチェット歯、８はラチェット爪、９は伝達機構、１０は操作板である。
【００１２】
上記ヒンジ用固定ブラケット３の一側の側板３ａと上記ヒンジ用可動ブラケット４の一側の側板４ａは相互に重ね合わされて、チルトヒンジ５により所定の摩擦トルクで軸支されている。一方、上記ヒンジ用固定ブラケット３の他側の側板３ｂと上記ヒンジ用可動ブラケット４の他側の側板４ｂも相互に重ね合わされて、ヒンジシャフト６により軸支されている。
【００１３】
上記ラチェット歯７は、上記ヒンジシャフト６を介して、上記ヒンジ用固定ブラケット３の他側の側板３ｂに一体的に取り付けられている。該ラチェット歯７は、いわゆる鋸歯状に形成されている。（図３参照）
【００１４】
図３から明らかなように、上記ラチェット歯７には、ラチェット爪８が選択的に係合するようになっている。該ラチェット爪８は、軸８ａを中心に回動できるようになっている。該軸８ａは、上記ヒンジ用可動ブラケット４の他側の側板４ｂに固定されている。従って、上記ラチェット爪８は、上記パネル２の傾動に従って、上記ヒンジシャフト６の回り、すなわち、上記ラチェット歯７に沿って回動するようになっている。
【００１５】
上記伝達機構９は、受動部材９ａ、伝動杆９ｂ、作動部材９ｃ、連接杆９ｄから構成されている。該伝動杆９の両端部には、受動部材９ａと作動部材９ｃが一体的に取り付けられている。該作動部材９ｃは、上記連接杆９ｄを介して、上記ラチェット爪８に連接されていて、該作動部材９ｃの回転に伴って、該ラチェット爪８を上記ラチェット歯７から係脱自在に操作できるようになっている。
【００１６】
図２Ａからも明らかなように、上記受動部材９ａには、上記操作板１０に突設されている作動杆１０ａが当接している。従って、該操作板１０の矢印Ａ方向の動き、すなわち、作動杆１０ａの矢印Ａ方向の動きに伴って、上記受動部材９ａは回動し、上記伝動杆９ｂを介して、作動部材９ｃが回動する。
【００１７】
図３から明らかなように、上記操作板１０とパネル２との間には、圧縮コイルバネ１１が介装されている。
【００１８】
本実施例のロック機能付きチルトヒンジは、以上のように構成されているので、図３に示すように、上記操作板１０が圧縮コイルバネ１１により、矢印Ｂ方向に位置する場合には、上記伝達機構９を介して、上記ラチェット爪８を上記ラチェット歯７に係合させているので、パネル２はロック状態にある。
【００１９】
このロック状態で、パネル２を矢印Ｌ方向に持ち上げて、上記ヒンジシャフト６の回りを図３において反時計回りに回動せしめようとすると、上記ラチェット爪８が上記ラチェット歯７から係脱して、上記回動を可能とする。すなわち、鋸歯状のラチェット歯７による上記ラチェット爪８の一方向（ワンウエイ）回動が可能となり、この回動可能方向は、パネル２を持ち上げない限り、その重力により阻止され、安定している。
【００２０】
次に、図４に示すように、上記操作板１０を圧縮コイルバネ１１に抗して、矢印Ａ方向に引き込むと、上記伝達機構９を介して、上記ラチェット爪８が上記ラチェット歯７から外れて、上記ロック状態は解除される。この状態では、上記パネル２は、手で支えられているので、そのまま下方に下げることができる。当然、パネル２を上方に持ち上げることも可能である。
【実施例２】
【００２１】
図５は、本発明のロック機能付きチルトヒンジの別の実施例を示すもので、ＯＡ機器の本体１、パネル２、ヒンジ用固定ブラケット３、側板３ａ及び３ｂ、ヒンジ用可動ブラケット４、側板４ａ及び４ｂ、チルトヒンジ５、ヒンジシャフト６、伝達機構９、受動部材９ａ、伝動杆９ｂ、作動部材９ｃ、操作板１０、圧縮コイルバネ１１は、実施例１の部材と同じ又はほぼ同じ形状と機能を有する。
【００２２】
図５において、１２はローラークラッチであって、通常、上記ヒンジシャフト６に嵌合固定される内輪（図示せず）と、上記ヒンジ用可動ブラケット４の他側の側板４ｂに固定される外輪１２と、これら内輪と外輪１２の間に収容されるローラー（ボールの場合もある：図示せず）と、該ローラーを保持する保持器と、外輪１２（または内輪）に形成されたカム面および凹部と、該カム面に向けて上記ローラーを付勢するバネ等から構成されていて、上記外輪１２の一方向（ワンウエイ）あるいは二方向（ツーウエイ）の回転をロックすることができる。本発明は、ローラークラッチの発明ではないので、従来周知の構造であれば、いずれでも良い。
【００２３】
図５において、１３は操作杆であって、上記ローラーの上記カム面に対する係合を解除して、ロックを解除するための部材である。従って、図６Ａに示すように、操作板１０を矢印Ａ方向に引き込んだ場合には、伝達機構９を介して、上記操作杆１３によりロック解除を行う。一方、図６Ｂに示すように、上記操作板１０の引き込み操作を解除して、上記圧縮コイルバネ１１により操作板１０を矢印Ｂ方向に移動させると、上記伝達機構９を介して、上記操作杆１３によりロック操作を行う。
【００２４】
本実施例では、ローラークラッチを使用しているため、無段階でロックを働かせることができる。
【符号の説明】
【００２５】
１    ＯＡ機器の本体
２    パネル
３    ヒンジ用固定ブラケット
３ａ、３ｂ  側板
４    ヒンジ用可動ブラケット
４ａ、４ｂ  側板
５    チルトヒンジ
６    ヒンジシャフト
７    ラチェット歯
８    ラチェット爪
９    伝達機構
９ａ  受動部材
９ｂ  伝動杆
９ｃ  作動部材
９ｄ  連接杆
１０  操作板
１１  圧縮コイルバネ
１２  外輪
１３  操作杆
【図１】
2010174963.tif 000003
【図２】
2010174963.tif 000004
【図２Ａ】
2010174963.tif 000005
【図３】
2010174963.tif 000006
【図４】
2010174963.tif 000007
【図５】
2010174963.tif 000008
【図６Ａ】
2010174963.tif 000009
【図６Ｂ】
2010174963.tif 000010